(57)【要約】【課題】光ファイバの集合コアを収納したスロットコアを有して構成された光ファイバケーブルであって、光ファイバの集合コアをスロットコア内から取り出し、再び収納することを繰り返し行っても、光ファイバの伝送損失を増加させることが防止された光ファイバケーブルを提供する。【解決手段】光ファイバの集合コア１と、光ファイバの集合コア１を覆っている第１のテープ体２と、第１のテープ体２を覆っている第２のテープ体６と、ケーブル長手方向に沿う直線状のスロット溝３を有しスロット溝３に光ファイバの集合コア１を収納して保持するスロットコア４と、スロットコア４を被覆するシース５とを備え、第２のテープ体６は、両側部分６ａがスロット溝３の開口部よりスロット溝３の外方に引き出され、両側部分６ａをスロットコア４の外周面に沿わせている。【選択図】図１
2013167810.tif 000002
【特許請求の範囲】
【請求項１】
光ファイバの集合コアと、
ケーブル長手方向に延在され前記光ファイバの集合コアを覆っている第１のテープ体と、
ケーブル長手方向に延在され前記第１のテープ体の外側面を覆っている第２のテープ体と、
ケーブル長手方向に沿う直線状のスロット溝を有しスロット溝に前記第１及び第２のテープ体に覆われた光ファイバの集合コアを収納して保持するスロットコアと、
前記スロット溝の開口部を含めてスロットコア全体を被覆する円筒状のシースと
を備え、
前記第１のテープ体は、スロット溝内において光ファイバの集合コアを覆い、
前記第２のテープ体は、両側部分がスロット溝の開口部よりスロット溝の外方に引き出されており、この両側部分をスロットコアの外周面に沿わせている
ことを特徴とする光ファイバケーブル。
【請求項２】
前記第２のテープ体の幅は、前記光ファイバの集合コアを覆っている第１のテープ体の外周長より長く、前記光ファイバの集合コアを覆っている第１のテープ体の外周長及び前記スロットコアの外周長の和より短い
ことを特徴とする請求項１記載の光ファイバケーブル。
【請求項３】
光ファイバの集合コアと、
ケーブル長手方向に延在され、前記光ファイバの集合コアを覆っている第１のテープ体と、
ケーブル長手方向に沿う直線状のスロット溝を有し、このスロット溝に前記第１のテープ体に覆われた前記光ファイバの集合コアを収納して保持するスロットコアと、
前記スロットコアの外周面に沿ってケーブル長手方向に延在され、前記スロット溝の開口部を覆っている第２のテープ体と、
前記第２のテープ体を含めて前記スロットコア全体を被覆する円筒状のシースと
を備え、
前記第１のテープ体は、前記スロット溝の開口部において、前記第２のテープ体に対して接着されている
ことを特徴とする光ファイバケーブル。
【請求項４】
前記第１のテープ体の前記第２のテープ体に対する接着は、ケーブル長手方向について一定間隔ごとに間欠的になされている
ことを特徴とする請求項３記載の光ファイバケーブル。
【請求項５】
前記第１のテープ体の前記第２のテープ体に対する間欠的な接着箇所の間隔は、６００ｍｍ以下である
ことを特徴とする請求項４記載の光ファイバケーブル。
【請求項６】
前記第２のテープ体は、少なくとも両側部分が、シースの内側面に貼り付いている
ことを特徴とする請求項１乃至請求項５のいずれか一に記載の光ファイバケーブル。
【発明の詳細な説明】
【技術分野】
【０００１】
本発明は、光ファイバをスロットコアに収納しシースで被覆した光ファイバケーブルに関し、特に、スロットコア内に収納された光ファイバの取出し易さを改善した光ファイバケーブルに関する。
【背景技術】
【０００２】
光ファイバケーブルは、一般的に、光ファイバを内部に収納したスロット溝を有するスロットコアと、このスロットコアの周囲を被覆するシースとから構成されている。特許文献１には、ＳＺ撚り溝を有するスロットコアを有する光ファイバケーブルが記載されている。ＳＺ撚り溝は、スロットコアの外周面に、一定周期で方向が反転する螺旋状に形成された溝である。
【０００３】
また、特許文献２及び特許文献３には、図６に示すように、光ファイバの集合コア１０１を内部に収納した１つのスロット溝１０２を備えた１溝スロットコア（Ｃスロットコア）１０３と、この１溝スロットコア１０３の周囲を被覆するシース１０４とから構成された光ファイバケーブルが記載されている。１溝スロットコア１０３のスロット溝１０２は、１溝スロットコア１０３の一側部に開口して形成された溝である。この光ファイバケーブルにおいては、スロット溝１０２に対応する部分でのシース１０４の肉厚が、他の部分でのそれよりも厚くなっており、偏心シース構造が採られている。
【０００４】
このような光ファイバケーブルにおいては、特許文献４に記載されているように、シース１０４を引き裂いて１溝スロットコア１０３から光ファイバの集合コア１０１を取り出して後分岐などの作業を行う。後分岐などの作業を行った後には、１溝スロットコア１０３内に光ファイバの集合コア１０１の再収納を行う。
【先行技術文献】
【特許文献】
【０００５】
【特許文献１】特開平８−２１１２６１号公報
【特許文献２】特開２００８−０７６８９７号公報
【特許文献３】特開２００８−０７６８９８号公報
【特許文献４】特開２００９−２３７５３７号公報
【発明の概要】
【発明が解決しようとする課題】
【０００６】
ところで、光ファイバケーブルの細径化及び光ファイバの高密度化の要望が高くなっており、１溝スロットコア構造の光ファイバケーブルに対しても、同様の要望が高くなっている。光ファイバケーブルにおける光ファイバの高密度化を行うにあたっては、機械特性を向上させることも必要であり、そのため、図６に示すように、光ファイバの集合コア１０１をテープ１０５等で包むことが提案されている。
【０００７】
一方、光ファイバケーブルの後分岐作業の作業性向上に対する要望も高まっており、光ファイバの集合コア１０１をテープ１０５等で包んだ光ファイバケーブルにおいても、同様に、後分岐作業の作業性向上を図る必要がある。
【０００８】
後分岐作業において、テープ１０５等で包んだ光ファイバの集合コア１０１をシース１０４から取り出す場合には、高密度に実装され円柱状に集合された光ファイバの集合コア１０１を摘んで、シース１０４内から引き出す必要がある。しかしながら、光ファイバの集合コア１０１を摘むことにより、活線状態にある光ファイバの伝送損失を増加させてしまう虞があり、作業のリスクが高い。
【０００９】
そこで、本発明は、前述の実情に鑑みて提案されるものであって、光ファイバの集合コアを収納したスロットコアを有して構成された光ファイバケーブルであって、光ファイバの集合コアをスロットコア内から取り出し、再び収納することを繰り返し行っても、光ファイバの伝送損失を増加させることが防止された光ファイバケーブルを提供することを目的とする。
【課題を解決するための手段】
【００１０】
前述の課題を解決し、前記目的を達成するため、本発明に係る光ファイバケーブルは、以下の構成のいずれか一を有するものである。
【００１１】
〔構成１〕
光ファイバの集合コアと、ケーブル長手方向に延在され光ファイバの集合コアを覆っている第１のテープ体と、ケーブル長手方向に延在され第１のテープ体の外側面を覆っている第２のテープ体と、ケーブル長手方向に沿う直線状のスロット溝を有しスロット溝に第１及び第２のテープ体に覆われた光ファイバの集合コアを収納して保持するスロットコアと、スロット溝の開口部を含めてスロットコア全体を被覆する円筒状のシースとを備え、第１のテープ体は、スロット溝内において光ファイバの集合コアを覆い、第２のテープ体は、両側部分がスロット溝の開口部よりスロット溝の外方に引き出されており、この両側部分をスロットコアの外周面に沿わせていることを特徴とするものである。
【００１２】
〔構成２〕
構成１を有する光ファイバケーブルにおいて、第２のテープ体の幅は、光ファイバの集合コアを覆っている第１のテープ体の外周長より長く、光ファイバの集合コアを覆っている第１のテープ体の外周長及び前記スロットコアの外周長の和より短いことを特徴とするものである。
【００１３】
〔構成３〕
光ファイバの集合コアと、ケーブル長手方向に延在され光ファイバの集合コアを覆っている第１のテープ体と、ケーブル長手方向に沿う直線状のスロット溝を有しスロット溝に第１のテープ体に覆われた光ファイバの集合コアを収納して保持するスロットコアと、スロットコアの外周面に沿ってケーブル長手方向に延在されスロット溝の開口部を覆っている第２のテープ体と、第２のテープ体を含めてスロットコア全体を被覆する円筒状のシースとを備え、第１のテープ体は、スロット溝の開口部において、第２のテープ体に対して接着されていることを特徴とするものである。
【００１４】
〔構成４〕
構成３を有する光ファイバケーブルにおいて、第１のテープ体の第２のテープ体に対する接着は、ケーブル長手方向について一定間隔ごとに間欠的になされていることを特徴とするものである。
【００１５】
〔構成５〕
構成４を有する光ファイバケーブルにおいて、第１のテープ体の第２のテープ体に対する間欠的な接着箇所の間隔は、６００ｍｍ以下であることを特徴とするものである。
【００１６】
〔構成６〕
構成１乃至構成５のいずれか一を有する光ファイバケーブルにおいて、第２のテープ体は、少なくとも両側部分が、シースの内側面に貼り付いていることを特徴とするものである。
【発明の効果】
【００１７】
本発明に係る光ファイバケーブルは、構成１を有することにより、ケーブル長手方向に延在され光ファイバの集合コアを覆っている第１のテープ体の外側面を覆っている第２のテープ体は、両側部分がスロット溝の開口部よりスロット溝の外方に引き出されており、この両側部分をスロットコアの外周面に沿わせているので、シースを除去してスロットコアから光ファイバの集合コアを取り出すときには、第２のテープ体の両側部分を摘んで引き出すことができるので、光ファイバの集合コアを直接摘む必要がなく、活線分岐時の伝送損失増加が防止され、容易、かつ、安全な作業が可能となる。
【００１８】
また、構成２のように、第２のテープ体の幅を、光ファイバの集合コアを覆っている第１のテープ体の外周長より長く、光ファイバの集合コアを覆っている第１のテープ体の外周長及び前記スロットコアの外周長の和より短くした場合には、第２のテープ体の両側部分が確実にスロット溝の外方に引き出されるので、シースを除去してスロットコアから光ファイバの集合コアを取り出すときには、第２のテープ体の両側部分を摘んで引き出すことができ、光ファイバの集合コアを直接摘む必要がなく、活線分岐時の伝送損失増加が防止され、容易、かつ、安全な作業が可能となる。
【００１９】
また、本発明に係る光ファイバケーブルは、構成３を有することにより、ケーブル長手方向に延在され光ファイバの集合コアを覆っている第１のテープ体は、スロット溝の開口部において、第２のテープ体に対して接着されているので、シースを除去してスロットコアから光ファイバの集合コアを取り出すときには、第２のテープ体を摘んで引き出すことができるので、光ファイバの集合コアを直接摘む必要がなく、活線分岐時の伝送損失増加が防止され、容易、かつ、安全な作業が可能となる。
【００２０】
この光ファイバケーブルにおいては、構成４のように、第１のテープ体の第２のテープ体に対する接着は、ケーブル長手方向について一定間隔ごとに間欠的になされていることとすることができる。
【００２１】
また、構成５のように、第１のテープ体の第２のテープ体に対する間欠的な接着箇所の間隔を、６００ｍｍ以下とした場合には、６００ｍｍ以上の長さに亘ってシースを除去すれば、この除去区間内には、第１のテープ体と第２のテープ体との接着箇所が必ず１箇所以上含まれる。
【００２２】
そして、本発明の係る光ファイバケーブルは、構成６のように、第２のテープ体の少なくとも両側部分が、シースの内側面に貼り付いているので、シースを切り裂きシースの上側をシースの下側から引き離したときに、光ファイバの集合コアは、シースの上側に追従してシースの下側から引き離され、スロットコアのスロット溝内から取り出される。
【００２３】
すなわち、本発明は、光ファイバの集合コアを収納したスロットコアを有して構成された光ファイバケーブルであって、光ファイバの集合コアをスロットコア内から取り出し、再び収納することを繰り返し行っても、光ファイバの伝送損失を増加させることが防止された光ファイバケーブルを提供することができるものである。
【図面の簡単な説明】
【００２４】
【図１】本発明の第１の実施の形態に係る光ファイバケーブルの構成を示す断面図である。
【図２】本発明の第１の実施の形態に係る光ファイバケーブルにおける光ファイバの集合コアをスロットコア内から取り出す手順を示す断面図である。
【図３】本発明の第２の実施の形態に係る光ファイバケーブルの構成を示す断面図である。
【図４】本発明の第２の実施の形態に係る光ファイバケーブルにおける光ファイバの集合コアをスロットコア内から取り出す手順を示す断面図である。
【図５】本発明の実施例１に係る光ファイバケーブルにおける光ファイバの伝送損失量を示すグラフである。
【図６】従来の光ファイバケーブルの構成を示す断面図である。
【発明を実施するための形態】
【００２５】
以下、本発明を実施するための形態について、図面を参照して詳細に説明する。
【００２６】
〔第１の実施の形態〕
図１は、本発明の第１の実施の形態に係る光ファイバケーブルの構成を示す断面図である。
【００２７】
本発明の第１の実施の形態に係る光ファイバケーブルは、図１に示すように、光ファイバの集合コア１と、ケーブル長手方向に延在され光ファイバの集合コア１を覆っている第１のテープ体２と、ケーブル長手方向に延在され第１のテープ体２の外側面を覆っている第２のテープ体６と、ケーブル長手方向に沿う直線状のスロット溝３を有するスロットコア４とを備える。スロットコア４は、スロット溝３に、第１及び第２のテープ体２，６に覆われた光ファイバの集合コア１を収納して保持する。そして、この光ファイバケーブルは、スロット溝３の開口部を含めてスロットコア４全体を被覆する円筒状のシース５を備える。
【００２８】
光ファイバには、光ファイバ素線、光ファイバ心線、光ファイバテープ心線などが用いられる。光ファイバ素線は、光ファイバの上に紫外線硬化樹脂を被覆したものである。光ファイバ心線は、光ファイバの上にプラスチック樹脂を被覆してその直径を光ファイバ素線よりも大としたものである。光ファイバテープ心線は、光ファイバ素線を平行に数本並べて紫外線硬化樹脂で被覆したものである。
【００２９】
また、各光ファイバは、ケーブル長手方向について一定間隔ごとに間欠的に互いに接着固定されている間欠固定ファイバであってもよい。
【００３０】
この実施の形態では、光ファイバとして光ファイバ素線を用い、複数本の光ファイバ素線を第１のテープ体２で覆い、さらに第２のテープ体６で覆ってスロット溝３内に収納している。スロットコア４は、光ファイバの集合コア１をスロット溝３内に収納して保持する保持部材であり、外周が略円筒形状に形成されている。スロット溝３は、円筒状に形成され、スロットコア４の中心線からずれた位置に中心線を有している。
【００３１】
このスロットコア４は、金型に樹脂を流して成形する押出し成形により形成され、長手方向に垂直な断面形状がＣ形の形状となっている。このスロットコア４は、肉厚が均一ではなく、スロット溝３の開口部が形成された部位から、スロットコア４の外周に沿って、開口部とは反対側の部位へ行くにしたがって徐々にその肉厚が厚くなっている。すなわち、スロットコア４は、スロット溝３の底部に対応する部位からスロット溝３の開口部が形成された部位に行くにしたがって、徐々にその肉厚が薄くなっている。
【００３２】
シース５は、円筒状のチューブとして形成されている。かかるシース５は、光ファイバの集合コア１を収納したスロットコア４の周囲全体をポリエチレン樹脂で被覆するようにして形成する押し出し成形により形成される。なお、シース５の成形時には、スロット溝３内にシース用ポリエチレン樹脂が入り込まないようにするため、押さえテープによりスロット溝３の開口部を塞ぐようにしてもよい。
【００３３】
このようにして形成されるシース５は、スロット溝３の開口部と対向する部位（図１における上部）で最も肉厚とされ、スロットコア４の外周に沿って、底部へ行くに従って徐々に肉薄となり、スロットコア４の最底部に隣接する部位である最底部において最も肉薄となるように成形されている。
【００３４】
第１及び第２のテープ体２，６としては、プラスチックのテープを用いることができる。第１のテープ体２は、スロット溝３内において光ファイバの集合コア１を覆い、第２のテープ体６は、両側部分６ａがスロット溝３の開口部よりスロット溝３の外方に引き出されており、この両側部分６ａをスロットコア４の外周面に沿わせている。
【００３５】
図２は、本発明の第１の実施の形態に係る光ファイバケーブルにおける光ファイバの集合コアをスロットコア内から取り出す手順を示す断面図である。
【００３６】
この光ファイバケーブルにおいて、光ファイバの後分岐作業を行うには、まず、図３（ａ）の矢印Ａで示すように、分岐する区間のシース５を両側部において切り裂き、図３（ｂ）の矢印Ｂで示すように、シース５の上側（スロット溝３の開口部側）を取り除く。このとき、スロットコア４は、シース５の下側内に残る。また、スロット溝３の開口部よりスロット溝３の外方に引き出された第２のテープ体６の両側部分６ａは、表面性により、シース５の内側面から剥がれるようになっている。
【００３７】
そして、第２のテープ体６の両側部分６ａを摘み、図３（ｃ）の矢印Ｃで示すように、この両側部分６ａをシース５の下側から引き離すことにより、光ファイバの集合コア１をスロットコア４のスロット溝３内から取り出すことができる。
【００３８】
この後分岐作業において、光ファイバの集合コア１を直接摘む必要がないため、光ファイバの伝送損失を増加させる虞がなく、容易、かつ、安全な作業を行うことができる。
【００３９】
この光ファイバケーブルにおいて、第２のテープ体６の幅は、光ファイバの集合コアを覆っている第１のテープ体２の外周長より長く、光ファイバの集合コア１を覆っている第１のテープ体２の外周長及びスロットコア４の外周長の和より短くしておくことが好ましい。この場合には、第２のテープ体６の両側部分６ａがスロット溝３の外方に確実に引き出され、また、両側部分６ａ同士がスロットコア４の外周面上において重なることがないので、第２のテープ体６の両側部分６ａを摘むことが容易となり、光ファイバの後分岐作業を容易に行うことができる。
【００４０】
なお、この光ファイバの後分岐作業において、シース５の上側（スロット溝３の開口部側）を取り除いたときに、第２のテープ体６の両側部分６ａは、シース５の内側面に貼り付いているようにしてもよい。この場合には、シース５の上側をシース５の下側から引き離したときに、光ファイバの集合コア１は、シース５の上側に追従してシース５の下側から引き離され、スロットコア４のスロット溝３内から取り出される。
【００４１】
〔第２の実施の形態〕
図３は、本発明の第２の実施の形態に係る光ファイバケーブルの構成を示す断面図である。
【００４２】
本発明の第２の実施の形態に係る光ファイバケーブルは、図３に示すように、光ファイバの集合コア１と、ケーブル長手方向に延在され光ファイバの集合コア１を覆っている第１のテープ体２と、ケーブル長手方向に沿う直線状のスロット溝３を有するスロットコア４とを備える。スロットコア４は、スロット溝３に、第１のテープ体２に覆われた光ファイバの集合コア１を収納して保持する。
【００４３】
この実施の形態においても、各光ファイバは、ケーブル長手方向について一定間隔ごとに間欠的に互いに接着固定されている間欠固定ファイバであってもよい。
【００４４】
そして、この光ファイバケーブルは、スロットコア４の外周面に沿ってケーブル長手方向に延在されスロット溝３の開口部を覆っている第２のテープ体６を備えている。第１のテープ体２は、スロット溝３の開口部（図３中のＤで示す部分）において、第２のテープ体６に対して接着されている。
【００４５】
そして、この光ファイバケーブルは、第２のテープ体６を含めてスロットコア４全体を被覆する円筒状のシース５を備えている。
【００４６】
この実施の形態における光ファイバの集合コア１は、第１の実施の形態における光ファイバの集合コア１と同様である。
【００４７】
第１のテープ体２の第２のテープ体６に対する接着は、ケーブル長手方向について一定間隔ごとに間欠的になされていることとしてもよい。この場合において、第１のテープ体２の第２のテープ体６に対する間欠的な接着箇所の間隔は、６００ｍｍ以下であることが好ましい。光ファイバの後分岐作業においては、６００ｍｍ以上に亘ってシース５が除去されることが多い。この場合に、第１のテープ体２の第２のテープ体６に対する間欠的な接着箇所の間隔が６００ｍｍ以下であれば、シース５を除去した区間に必ず１箇所以上の接着箇所が存在するので、後述する光ファイバの後分岐作業を容易に行うことができる。
【００４８】
図４は、本発明の第２の実施の形態に係る光ファイバケーブルにおける光ファイバの集合コアをスロットコア内から取り出す手順を示す断面図である。
【００４９】
この光ファイバケーブルにおいて、光ファイバの後分岐作業を行うには、まず、図４（ａ）の矢印Ａで示すように、分岐する区間のシース５を両側部において切り裂き、図４（ｂ）の矢印Ｂで示すように、シース５の上側（スロット溝３の開口部側）を取り除く。このとき、スロットコア４は、シース５の下側内に残る。また、第２のテープ体６は、表面性により、シース５の内側面から剥がれるようになっている。
【００５０】
そして、第２のテープ体６を摘み、図４（ｃ）の矢印Ｃで示すように、この第２のテープ体６をシース５の下側から引き離すことにより、光ファイバの集合コア１をスロットコア４のスロット溝３内から取り出すことができる。
【００５１】
この後分岐作業において、光ファイバの集合コア１を直接摘む必要がないため、光ファイバの伝送損失を増加させる虞がなく、容易、かつ、安全な作業を行うことができる。
【００５２】
なお、この光ファイバの後分岐作業において、シース５の上側（スロット溝３の開口部側）を取り除いたときに、第２のテープ体６は、シース５の内側面に貼り付いているようにしてもよい。この場合には、シース５の上側をシース５の下側から引き離したときに、光ファイバの集合コア１は、シース５の上側に追従してシース５の下側から引き離され、スロットコア４のスロット溝３内から取り出される。
【実施例】
【００５３】
〔実施例１〕
光ファイバの集合コア１の集合径を約５ｍｍとし、第１のテープ体２の幅を約２０ｍｍ、第２のテープ体６の幅を約２５ｍｍとして、第１の実施の形態における構成の光ファイバケーブルを作成した。光ファイバケーブルの外径は、約１０ｍｍとした。
【００５４】
図５は、本発明の実施例１に係る光ファイバケーブルにおける光ファイバの伝送損失量を示すグラフである。
【００５５】
作成した光ファイバケーブルの伝送損失の温度特性は、図５に示すように、良好であることが確認された。
【００５６】
次に、作成した光ファイバケーブルに波長１．５５μｍの光を入射し、受光レベルを確認しながら、光ファイバの集合コア１をスロットコア４のスロット溝３内から取り出す作業を行った。このとき、表１に示すように、受光レベルの変動は全く見られず、光ファイバの集合コア１の取り出し作業が安全に行えることが確認された。
【表１】
2013167810.tif 000003
【００５７】
〔実施例２〕
光ファイバの集合コア１の集合径を約５ｍｍとし、第１のテープ体２の幅を約２０ｍｍ、第２のテープ体２の幅を約１０ｍｍとして、第２の実施の形態における構成の光ファイバケーブルを作成した。光ファイバケーブルの外径は、約１０ｍｍとした。
【００５８】
この光ファイバケーブルにおいても、実施例１における光ファイバケーブルと同様に、伝送損失の温度特性が良好であることが確認され、また、光ファイバの集合コア１の取り出し作業が安全に行えることが確認された。
【産業上の利用可能性】
【００５９】
本発明は、光ファイバをスロットコアに収納しシースで被覆した光ファイバケーブルに適用され、特に、スロットコア内に収納された光ファイバの取出し易さを改善した光ファイバケーブルに適用される。
【符号の説明】
【００６０】
１  光ファイバの集合コア
２  第１のテープ体
３  スロット溝
４  スロットコア
５  シース
６  第２のテープ体
【図１】
2013167810.tif 000004
【図２】
2013167810.tif 000005
【図３】
2013167810.tif 000006
【図４】
2013167810.tif 000007
【図５】
2013167810.tif 000008
【図６】
2013167810.tif 000009